(57)【要約】【課題】多数回の繰り返し荷重、特に端部での繰り返し荷重に耐えることができる床付き布枠及びこの床付き布枠を組み込んでなる枠組足場を提供する。【解決手段】上面に長尺の床材部３１と側面に長尺の布材部３２ａ、３２ｂと下面に長尺のリップ３３を有する主材と、布材部の両端部に固定される掴み金具５０と、断面コの字形の梁材４０とからなる床付き布枠であって、主材の両端部に断面コの字形の梁材４０が嵌合されて取り付けられ、そして掴み金具５０が断面コの字形の梁材の両端部に一体化されて取り付けられていることを特徴とする床付き布枠。主材は、２本以上の主材を水平方向に平行に配設して用いてもよい。【選択図】図１
2007132016.tif 000002
【特許請求の範囲】
【請求項１】
上面に長尺の床材部と側面に長尺の布材部と下面に長尺のリップを有する主材と、布材部の両端部に固定される掴み金具と、断面コの字形の梁材とからなる床付き布枠であって、主材の両端部に断面コの字形の梁材が嵌合されて取り付けられ、そして掴み金具が断面コの字形の梁材の両端部に一体化されて取り付けられていることを特徴とする床付き布枠。
【請求項２】
上面に長尺の床材部と側面に長尺の布材部と下面に長尺のリップを有する主材の２本以上と、布材部の両端部に固定される掴み金具と、断面コの字形の梁材とからなる床付き布枠であって、２本以上の主材を水平方向に平行に配設後の主材の両端部に断面コの字形の梁材が嵌合されて取り付けられ、そして掴み金具が断面コの字形の梁材の両端部に一体化されて取り付けられていることを特徴とする床付き布枠。
【請求項３】
掴み金具と梁材の両端部が、少なくとも梁材のウェブの端部と掴み金具の側面の間で一体化されていることを特徴とする、請求項１又は２に記載の床付き布枠。
【請求項４】
梁材がその端部においてウェブの一部が切欠かれた形状を有するとともに、その切欠き部分に掴み金具が位置することを特徴とする、請求項１から３までのいずれかに記載の床付き布枠。
【請求項５】
梁材がその端部においてウェブの一部と下側フランジの一部が切欠かれた形状を有するとともに、その切欠き部分に掴み金具が位置することを特徴とする、請求項１から３までのいずれかに記載の床付き布枠。
【請求項６】
掴み金具が主材の布材部の端部において溶接によって接合されていることを特徴とする、請求項１から５までのいずれかに記載の床付き布枠。
【請求項７】
掴み金具が開口部を有するものであるとともに、梁材のウェブ及び／又はフランジがその端部において突起を有するものであって、この突起は掴み金具の開口部に差し込むことができる形状であることを特徴とする、請求項１から６までのいずれかに記載の床付き布枠。
【請求項８】
掴み金具の開口部に梁材の突起を差し込んだ際に掴み金具の外側に形成される梁材の突起が溶接によって掴み金具と接合されていることを特徴とする、請求項７に記載の床付き布枠。
【請求項９】
掴み金具の開口部に梁材の突起を差し込んだ際に掴み金具の外側に形成される梁材の突起が溶接によって布材部の端部と接合されていることを特徴とする、請求項７又は８に記載の床付き布枠。
【請求項１０】
主材の両端部に嵌合されて取り付けられる梁材がその内側にリブを有することを特徴とする、請求項１から９までのいずれかに記載の床付き布枠。
【請求項１１】
請求項１から１０までのいずれかに記載された床付き布枠が組み込まれていることを特徴とする枠組足場。
【発明の詳細な説明】
【技術分野】
【０００１】
本発明は、建築現場等で枠組足場の作業床及び通路として使用される床付き布枠並びにこの床付き布枠を組み込んでなる枠組足場に関する。
【背景技術】
【０００２】
建築現場等で用いられる枠組足場には、例えば、建枠に筋違（すじかい）や手摺枠を取り付けてなる「建枠式足場」と、支柱部材や斜材（ブレース）や手摺部材等の足場構成部材を緊結して組み立ててなる「緊結式足場」がある。
【０００３】
「建枠式足場」は、次のようにして組み立てられる。すなわち、横桟と縦柱から構成され、Ｈ形状や鳥居形状を有する建枠の複数個を、所定の間隔で建物等の構造物とは直角に立設し、建枠の縦柱に筋違や手摺枠を取り付け固定して複数個の建枠を自立させた後、さらに建枠の横桟の上に床付き布枠を架け渡すことで、１単位の足場を形成する。次に、既に立設した建枠の上に、別途用意された建枠を立設し、同様にして筋違や手摺枠を隣接する建枠の間に取り付け固定した後、新たに立設した建枠の横桟の上に床付き布枠を架け渡すことによって一つ上の段の足場を形成する。これを順次繰り返すことによって、全体の枠組み足場を形成する。
【０００４】
この建枠として、Ｈ形状の建枠（以下、「Ｈ枠」という。）を用いて建枠式の枠組足場を形成する一例を図１５に示す。(a)が正面図、(b)が右側面図である。
【０００５】
３個のＨ枠１を建物２２とは直角に等間隔に並べ、隣接するＨ枠の間に、建物側に筋違１３をロック金具６ａに取り付け、そして建物とは反対側に手摺枠１０をロック金具６ｂに取り付けて、１段目のＨ枠１を自立させる。さらに、建物側の筋違１３をロック金具７ａに取り付け、そして、建物とは反対側に手摺枠１０をロック金具７ｂに取り付けて固定する。その後、１段目のＨ枠１の隣接する横桟３の間に床付き布枠１１を架け渡して、１段目の足場を形成する。
【０００６】
次に、既に立設した１段目のＨ枠１の縦柱２の上に、別途用意したＨ枠１の縦柱２の下部を載置し、固定ピン（図示せず）で固定することによって、２段目のＨ枠１を立設する。その後、１段目と同様にして、建物側に筋違１３をロック金具６ａと７ａに取り付け、そして、建物とは反対側に手摺枠１０をロック金具６ｂと７ｂに取り付けて固定し、その後、２段目のＨ枠１の横桟３に床付き布枠１１を架け渡して、２段目の足場を形成する。
【０００７】
３段目の足場も、２段目の足場と同じ手順で組み立てる。すなわち、建物側に筋違１３を、そして、建物とは反対側に手摺枠１０を固定し、その後、３段目のＨ枠１の横桟３に床付き布枠１１を架け渡して、３段目の足場を形成する。
【０００８】
一方、「緊結式足場」は、「コマ」と呼ばれる取付部材が複数個設けられた支柱部材に、手摺部材、斜材（ブレース材）、腕木部材等の足場構成部材をコマを介して取り付け、そして、コマにおいて楔等によってこれらの足場構成部材を緊結した後、床付き布枠を架け渡すことによって、組み立てられる。
【０００９】
図１６に、緊結式足場の構造の一例を示す。(a)は緊結式足場の正面図、(b)は(a)において円で示されたコマの周辺の拡大図、そして、(c)は緊結式足場の右側面図である。
【００１０】
緊結式足場は、支柱１４が建物側とその反対側に各３本が立設されている。各々の支柱１４は、複数のコマ２０を有する支柱部材１６を縦に継ぎ足すことによって形成されている。建物側の隣接する支柱１４の間には、コマ２０を介して斜材１９が取り付けられ、また、建物とは反対側の隣接する支柱１４の間には、コマ２０を介して作業用手摺１５が取り付けられ、コマ２０において楔等で緊結される。さらに、建物側の支柱１４と建物とは反対側の支柱１４の間には、コマ２０を介して腕木材２１が取り付けられ、コマ２０において楔等で緊結され、そして、隣接する腕木材２１の間に、床付き布枠１１を架け渡すことで、１段目の足場が形成される。なお、斜材１９は建物とは反対側の支柱１４の間に取り付ける場合もある。
【００１１】
２段目の足場は、１段目の足場と同様にして形成される。必要に応じて、１段目の足場の支柱１４の上端に別途用意した支柱１４を縦方向に継ぎ足した上で、斜材１９、手摺部材１５、腕木部材２１をコマ２０を介して取り付け緊結した後、床付き布枠１１を架け渡すことによって、形成される。これを順次繰り返すことによって、複数段の緊結式足場が形成される。
【００１２】
このように、床付き布枠は、建枠式枠組足場と緊結式枠組足場とを問わず、すべての枠組足場に組み込まれており、作業床及び通路として用いられている。
【００１３】
床付き布枠は、上面に長尺の床材部と側面に長尺の布材部を有する主材の１本又は２本以上と、主材の両端部に取り付けられる掴み金具と断面コの字形の梁材とから構成されている。断面コの字形の梁材は、１本の主材を用いるときは主材の両端部に断面コの字形の梁材が嵌合されて取り付けられ、そして、２本以上の主材を用いるときは２本以上の主材を水平方向に平行に配設した後の主材の両端部に断面コの字形の梁材が嵌合されて取り付けられる。そして、掴み金具は、通常、１本の主材を用いるときは主材の布材部の両端部側面にリベット等で固定され、そして、２本以上の主材を用いるときは２本以上の主材を水平方向に平行に配設した後の主材の布材部のうち最も外側の布材部の両端部の内側にリベット等で固定される。
【００１４】
図１７は、従来技術に係る床付き布枠の一例であり、(a)は組立図、(b)は完成図を、それぞれ示す。
【００１５】
この床付き布枠の主材３０は、上面に長尺の床材部３１とその両側面に一体化されて形成される長尺の布材部３２ａ、３２ｂからなり、さらに、両側面の下面の内側には長尺のリップ３３が長尺の布材部３２ａ、３２ｂと一体化されて設けられている。
【００１６】
このような主材３０の２本が、少し間隔を開けて、水平方向に平行に配設され、２本の主材３０の床材部３１の両端部に断面コの字形の梁材４０が嵌合して取り付けられ、溶接等で接合される。すなわち、断面コの字形の梁材４０は、上側フランジ４１と下側フランジ４２と、両フランジを連結するウエブ４３から構成されており、２本の主材３０の床材部３１の両端部は、上側フランジ４１と下側フランジ４２の間に嵌め込まれることになる。
【００１７】
また、外側に位置する２つの布材部３２ａの両端近傍には、掴み金具５０をリベット等で固定するための穴３４が、各々２個穿たれている。そして、外側に位置する布材部３２ａの両端部の内側には、断面コの字形の梁材４０の両端部との隙間に、掴み金具５０が挿入され、リベット３５で固定される。
【００１８】
図１８は、図１７に示す従来技術に係る床付き布枠の端部の拡大図であり、(a)は正面図、(b)は上面図、そして、(c)はＡ−Ａ面における断面図（側面図）を、それぞれ示す。
【００１９】
この床付き布枠の主材は、その剛性を高めるために、床材部３１の中央付近と両縁部近傍に、長尺方向に溝３６が成型され、そして、布材部３２ａ、３２ｂと一体化されて設けられているリップ３３の縁部は内側に屈曲した形に成型され、屈曲部３７を形成している。
【００２０】
上述したとおり、２本の主材は、少し間隔を開けて、水平方向に平行に配設され、その両端部に断面コの字形の梁材４０が嵌合され、そして、主材の床材部３１の上面の端部と梁材の上側フランジ４１の間、及び、主材のリップ３３の下面の端部と梁材の下側フランジ４２の間が、それぞれ、溶接Ｗ１及びＷ２によって接合される。溶接Ｗ１及びＷ２は、線溶接でもよいし、間隔を開けた点溶接でもよい。次いで、外側に位置する布材部３２ａの両端部の内側には、断面コの字形の梁材４０の両端部との隙間に掴み金具５０が挿入され、外側に位置する布材部３２ａのリベット穴３４と掴み金具のリベット穴５１とが位置合わせされた後、リベット３５で掴み金具５０が固定される。さらに、外側に位置する布材部３２ａの端部と掴み金具５０の外側面の間が、溶接Ｗ４によって接合される。溶接Ｗ４は、線溶接でもよいし、間隔を開けた点溶接でもよい。
【００２１】
なお、掴み金具５０は湾曲部を有しており、足場を構成する建枠の横桟又は腕木材の上にその湾曲部の内側を引っかけることで、床付き布枠を隣接する建枠の横桟又は腕木材の間に取り付けるためのものである。ここでは、掴み金具５０は外れ止め５２を有しており、外れ止め５２を建枠の横桟又は腕木材の下側に突出させることによって掴み金具５０が誤って建枠の横桟又は腕木材から外れないようにすることができる。
【００２２】
特許文献１及び２には、このような床付き布枠とこれを枠組足場に用いた例が開示されている。
【００２３】
【特許文献１】特開２００２−２５０１２３号公報
【特許文献２】特開２００１−１８２３１５公報
【発明の開示】
【発明が解決しようとする課題】
【００２４】
このような床付き布枠は、枠組足場の作業床及び通路として使用されるので、作業員が歩行するたびに、多数回の繰り返し荷重が加わることになる。枠組足場における床付き布枠が、１０年間に受ける繰り返し荷重の回数を計算すると、次のとおり、２０万回を超えることになる。
１０年×３６５日×０．７（稼働率）×１０人（作業員）×８往復＝２０４，４００回
１個の床付き布枠に加わる荷重は、作業員の体重を最大で９０ｋｇとし、これに付属工具を含む床付き布枠の荷重を加えると、１００ｋｇと想定することができる。
【００２５】
しかしながら、枠組足場の強度試験には、床付き布枠の中央部の載荷試験や端部の剪断試験が含まれるだけであり、床付き布枠の繰り返し荷重試験は行われていない。
【００２６】
繰り返し荷重を床付き布枠の中央部で受ける場合には、荷重が長さ１．８ｍ程度かつ厚み１．２ｍｍ程度の床材部に伝わり、床材部全体をしならせながら、梁材と掴み金具に荷重を伝達することになる。したがって、床材全体で荷重を吸収することになるため、１００ｋｇの荷重の繰り返し試験を２０万回以上行っても、局部的な曲げは発生しにくい。
【００２７】
しかしながら、繰り返し荷重を床付き布枠の端部で受ける場合には、床材部には荷重はほとんど伝わらず、ほとんど梁材と掴み金具が全荷重を受けることになる。そして、梁材は断面コの字形である上に厚みが１．６〜２．３ｍｍ程度と比較的厚いため、ほとんどしなることはなく、また、掴み金具も８ｍｍ程度の厚みがあるため、変形することはない。これに対して、主材は、床材部、布材部及びリップとも、その厚みが１．２ｍｍ程度と薄いため、剛性が小さく、局部的な変形を起こしやすいので、主材の両端部付近に曲げが発生することになる。特に、リップにおいて、大きな局部的な変形を繰り返して受けやすい。その結果、主材の両端部付近にクラックが発生しやすくなり、発生したクラックは繰り返し荷重によってさらに進行し、最悪の場合には、破断に至る。
【００２８】
図１８に示すように、枠組足場の作業床及び通路として床付き布枠を枠組足場の一部として取り付け、１００ｋｇの荷重の繰り返し試験を行ったところ、４〜７万回程度でこの主材の両端部付近にクラックが発生した。また、同試験体の破壊荷重が３３ＫＮの床付き布枠について、１００ｋｇの荷重で１０万回繰り返し試験を行った後、端部剪断試験を行ったところ、その破壊荷重は２８ＫＮとなっており、破壊荷重は８５％まで減少していた。
【００２９】
本発明は、このような問題を解決するためになされたものであって、多数回の繰り返し荷重、特に端部での繰り返し荷重に耐えることができる床付き布枠及びこの床付き布枠を組み込んでなる枠組足場を提供することを目的とする。
【課題を解決するための手段】
【００３０】
本発明者らは、このような多数回の繰り返し荷重に耐えることができる床付き布枠を開発するため、種々検討と実験を重ねた。その結果、次の(a)〜(h)の知見を得た。
【００３１】
(a) 従来の床付き布枠は、掴み金具は布材部にリベットで固定されるか、あるいはリベットでの固定に加えて、溶接Ｗ４によって接合される。そして、断面コの字形の梁材は主材の端部に嵌合させて、床材部の端部及びリップの端部との間が、それぞれ、溶接Ｗ１及びＷ２によって接合されている。溶接Ｗ１、Ｗ２及びＷ４は、線溶接でもよいし、間隔を開けた点溶接でもよい。従来の床付き布枠は、その剛性が小さく、局部的な変形を起こしやすいが、その理由は、厚みが１．６〜２．３ｍｍ程度の梁材及び厚みが８ｍｍ程度の掴み金具のいずれも、板厚が１．２ｍｍ程度の薄い主材と接合しているためであると考えられる。
【００３２】
(b) したがって、厚みの厚い掴み金具及び梁材を一体化させれば、局部的な変形を起こしにくくなり、もってクラックの発生を防止できることに思い至った。
【００３３】
掴み金具及び梁材を一体化させるには、掴み金具及び梁材を別個に形成し、梁材の端部と掴み金具の間を溶接等で接合すればよい。あるいは、掴み金具及び梁材を別個に形成してから一体化するのではなく、両者を一体成型によって直接に一体化してもよい。
【００３４】
掴み金具及び梁材を別個に形成してから、溶接等によって接合して一体化する場合、接合する梁材の端部としては、梁材のウェブ並びに上側及び下側フランジの端部のうちの１個所でもよいし、２個所あるいは３個所でもよいが、少なくとも梁材のウェブの端部において接合するのが好ましい。また、掴み金具の接合面は、掴み金具の内側面若しくは外側面、又は、掴み金具の上面若しくは下面のうちの１個所でもよいし、２個所以上でもよいが、少なくとも掴み金具の内又は外側面において接合するのが好ましい。なお、掴み金具の外側面が接合面となるのは、後述する知見(g)に記載するとおり、梁材のウェブの端部に形成した突起を掴み金具の開口部に挿入するだけでなく掴み金具の外側面に突出させた場合であり、このとき、この突出部と掴み金具の側面とを溶接等によって接合すると、掴み金具の外側面と梁材が、梁材のウェブの端部において接合されることになる。
【００３５】
(c) 床付き布枠に用いる主材は、上面に長尺の床材部と側面に長尺の布材部と下面に長尺のリップを有するものが、その剛性を大きくするために必要である。主材は、１本でもよいし、２本以上でもよい。断面コの字形の梁材は、１本の主材を用いるときはその主材の両端部に嵌合させ、そして、２本以上の主材を用いるときは２本以上の主材を水平方向に平行に配設した上でそれらの主材の両端部に嵌合させればよい。
【００３６】
(d) 断面コの字形の梁材は、主材の端部に嵌合させて取り付ける。そして、その上側フランジを床材部の端部と溶接等で接合し、そして、下側フランジをリップの端部と溶接等で接合すればよい。溶接の場合は、線溶接によってもよいし、間隔を開けた点溶接によってもよい。あるいは、溶接に代えて、ボルトナットで取り付け部分を固定してもよい。
【００３７】
このとき、あらかじめ掴み金具と梁材を一体化したものを主材の端部に嵌合させてもよいし、梁材のみを嵌合させた後に梁材の端部と布材部の間に掴み金具を差し込んでから溶接等で梁材の端部と掴み金具を接合してもよい。梁材の端部と掴み金具の接合の具体的手法としては、上述した知見(b)に記載したとおりであり、少なくとも梁材のウェブの端部と掴み金具の側面が溶接等で接合されて一体化されていることが好ましい。
【００３８】
(e) 掴み金具は、１本の主材を用いるときは主材の布材部の端部と断面コの字形の梁材の端部の間に、そして、２本以上の主材を用いるときは２本以上の主材を水平方向に平行に配設した後の主材の布材部のうち最も外側の布材部の端部と断面コの字形の梁材の端部の間に位置することになる。
【００３９】
そして、床付き布枠の剛性を大きくするために、掴み金具を主材の一部である布材部の端部に固定する。たとえば、リベット等で固定することができる。あるいは、さらに掴み金具を床材部、布材部及びリップの少なくとも１つの端部に溶接等によって接合することもできる。
【００４０】
(f) 掴み金具及び梁材を別個に形成したのち溶接等で接合して一体化させる場合には、上述の知見(d)に記載したとおり、少なくとも梁材のウェブの端部と掴み金具の側面を溶接等で接合するのが好ましい。
【００４１】
梁材の端部は種々の形状を採用することができる。例えば、図１７(a)に示すように、梁材４０の端部において、上側フランジ４１及び下側フランジ４２並びにウェブ４３の梁方向の長さをいずれも同じとする形状とすることができる。
【００４２】
また、梁材の端部を少し延長するとともに、端部においてウェブ４３の一部を切欠いた形状の梁材を用いて、その切欠き部分に掴み金具が位置するようにしてもよい。あるいは、梁材の端部を少し延長するとともに、梁材の端部においてウェブの一部と下側フランジの一部を切欠いた形状の梁材を用いて、その切欠き部分に掴み金具が位置するようにしてもよい。
【００４３】
図１０(a)〜(c)に、梁材の端部の各種形状を、背面図（左側）と側面図（右側）によって例示する。(a)は梁材の端部において、上側及び下側フランジ並びにウェブの梁方向の長さがいずれも同じ例である。(b)は梁材の端部においてウェブの一部と下側フランジの一部が切欠かれた形状となっている例である。そして、(c)は梁材の端部においてウェブの一部が切欠かれた形状となっている例である。
【００４４】
このうち、(b)や(c)のような形状にすると、掴み金具が梁材の端部において嵌合されることになり、繰り返し荷重に抵抗できる個所が増えるので、局部的な変形を起こしにくくなり、もってクラックの発生を防止できる。また、掴み金具と梁材は、掴み金具の側面と梁材のウェブの端面の間だけでなく、掴み金具の上面と上側フランジの間、あるいはさらに掴み金具の下面と下側フランジの間においても、溶接等で接合することが可能となる。したがって、さらにこのような個所でも溶接することができるから、掴み金具と梁材をさらに強固に一体化することができる。
【００４５】
(g) 床付き布枠の剛性をさらに大きくするために、掴み金具に開口部を形成し、そして、梁材のウェブ及び／又はフランジの端部において突起を形成し、この突起を掴み金具の開口部に挿入してもよい。このとき、突起は掴み金具の内部に収まるようにしてもよいし、突起を長めに形成し、掴み金具の外側に突出させてもよい。
【００４６】
図１０(d)〜(f)に、梁材のウェブの端部において突起を形成してなる梁材を、背面図（左側）と側面図（右側）によって例示する。(d)はウェブの端部に突起を形成してなる梁材の一例であり、(e)は上側フランジの端部が少し延長されるとともにウェブの端部に突起を形成してなる梁材の一例であり、そして、(f)は上側及び下側フランジの端部が少し延長されるとともにウェブの端部に突起を形成してなる梁材の一例である。
【００４７】
このような梁材を用いると、梁材のウェブの端部に形成した突起を掴み金具の開口部に挿入することができる。また、突起を長めに形成し、掴み金具の外側に突出させると、掴み金具の外側面に形成される突出部と掴み金具の外側面とを溶接等によって接合することが可能になる。すなわち、掴み金具の外側面と梁材のウェブの端部が溶接等によって接合できるようになり、掴み金具と梁材の一体化がなされることになる。
【００４８】
さらに、突起を掴み金具の外側に突出させる場合は、突出部分と布材部の端部とを溶接等によって接合することもでき、掴み金具と布材部の端部とをさらに強固に一体化することができる。
【００４９】
(h) 梁材は厚みが１．６〜２．３ｍｍ程度と厚いものの、断面コの字形であるので、過度の繰り返し荷重がかかる場合には、梁材の小口が開くおそれがある。梁材の小口が開きにくければ主材への影響も小さい。梁材の小口が開かないようにするためには、梁材の内側に垂直方向、水平方向又は斜め方向のリブを形成するのが好ましい。
【００５０】
図１１〜１４に、種々の垂直方向のリブを内側に形成してなる梁材を、背面図（左側）と側面図（右側）によって例示する。いずれも、(a)は上側及び下側フランジ並びにウェブの梁方向の長さが梁材の端部において同じ梁材について、(b)はウェブの一部と下側フランジの一部が切欠かれた形状の端部を有する梁材について、(c)はウェブの一部が切欠かれた形状の端部を有する梁材について、(d)はウェブの端部に突起を有する梁材について、(e)は上側フランジの端部が少し延長されるとともにウェブの端部に突起を有する梁材について、そして、(f)は上側フランジ及び下側フランジの端部が少し延長されるとともにウェブの端部に突起を有する梁材について、それぞれリブを形成したものである。
【００５１】
垂直方向のリブの形成は、それぞれ、次のようにして行った。図１１に示すリブは、上側フランジと下側フランジの間に台形の補強板４５をウェブに接して垂直に溶接することによって形成した。図１２に示すリブは、ウェブと下側フランジの間に三角形の補強板４５を垂直に溶接することによって形成した。図１３に示すリブは、ウェブの一部に変形個所４６を設けることによって形成した。そして、図１４に示すリブは、ウェブの一部に屈曲個所４７を設けることによって形成したものである。
【００５２】
本発明は、このような知見に基づいて完成したものであって、次の(1)〜(10)の床付き布枠及び(11)の枠組足場に関する。以下、(1)〜(11)を総称して、本発明ということもある。
【００５３】
(1) 上面に長尺の床材部と側面に長尺の布材部と下面に長尺のリップを有する主材と、布材部の両端部に固定される掴み金具と、断面コの字形の梁材とからなる床付き布枠であって、主材の両端部に断面コの字形の梁材が嵌合されて取り付けられ、そして掴み金具が断面コの字形の梁材の両端部に一体化されて取り付けられていることを特徴とする床付き布枠。
【００５４】
(2) 上面に長尺の床材部と側面に長尺の布材部と下面に長尺のリップを有する主材の２本以上と、布材部の両端部に固定される掴み金具と、断面コの字形の梁材とからなる床付き布枠であって、２本以上の主材を水平方向に平行に配設後の主材の両端部に断面コの字形の梁材が嵌合されて取り付けられ、そして掴み金具が断面コの字形の梁材の両端部に一体化されて取り付けられていることを特徴とする床付き布枠。
【００５５】
(3) 掴み金具と梁材の両端部が、少なくとも梁材のウェブの端部と掴み金具の側面の間で一体化されていることを特徴とする、上記(1)又は(2)の床付き布枠。
【００５６】
(4) 梁材がその端部においてウェブの一部が切欠かれた形状を有するとともに、その切欠き部分に掴み金具が位置することを特徴とする、上記(1)〜(3)のいずれかの床付き布枠。
【００５７】
(5) 梁材がその端部においてウェブの一部と下側フランジの一部が切欠かれた形状を有するとともに、その切欠き部分に掴み金具が位置することを特徴とする、上記(1)〜(3)のいずれかの床付き布枠。
【００５８】
(6) 掴み金具が主材の布材部の端部において溶接によって接合されていることを特徴とする、上記(1)〜(5)のいずれかの床付き布枠。
【００５９】
(7) 掴み金具が開口部を有するものであるとともに、梁材のウェブ及び／又はフランジがその端部において突起を有するものであって、この突起は掴み金具の開口部に差し込むことができる形状であることを特徴とする、上記(1)〜(6)のいずれかの床付き布枠。
【００６０】
(8) 掴み金具の開口部に梁材の突起を差し込んだ際に掴み金具の外側に形成される梁材の突起が溶接によって掴み金具と接合されていることを特徴とする、上記(7)の床付き布枠。
【００６１】
(9) 掴み金具の開口部に梁材の突起を差し込んだ際に掴み金具の外側に形成される梁材の突起が溶接によって布材部の端部と接合されていることを特徴とする、上記(7)又は(8)の床付き布枠。
【００６２】
(10) 主材の両端部に嵌合されて取り付けられる梁材がその内側にリブを有することを特徴とする、上記(1)〜(9)のいずれかの床付き布枠。
【００６３】
(11) 上記(1)〜(10)のいずれかの床付き布枠が組み込まれていることを特徴とする枠組足場。
【発明の効果】
【００６４】
本発明によれば、多数回の繰り返し荷重、特に端部での繰り返し荷重に耐えることができる床付き布枠及びこの床付き布枠を組み込んでなる枠組足場を提供することができる。
【発明を実施するための最良の形態】
【００６５】
本発明に係る床付き布枠及びこの床付き布枠を組み込んでなる枠組足場を、以下に、図面を用いて説明する。
【実施例１】
【００６６】
図１は、本発明に係る床付き布枠の一例の端部の拡大図であり、(a)は正面図、(b)は上面図、そして、(c)はＡ−Ａ面における断面図（側面図）を、それぞれ示す。
【００６７】
この床付き布枠の主材は、上面に長尺の床材部３１と、その両側面に床材部と一体化されて形成される長尺の布材部３２ａ及び３２ｂと、それぞれの下面の内側に布材部と一体化されて形成される長尺のリップ３３からなる。そして、主材の剛性を大きくするために、床材部３１の中央付近と両縁部近傍に、長尺方向に溝３６が成型され、そして、リップ３３の縁部は屈曲した形に成型され、屈曲部３７を形成している。
【００６８】
このような主材の２本が、少し間隔を開けて、水平方向に平行に配設され、その両端部に、図１０(a)に示される形状を有する断面コの字形の梁材４０が嵌合された後、溶接Ｗ１及びＷ２で接合される。すなわち、断面コの字形の梁材は、上側フランジ４１と下側フランジ４２と、そして両フランジを連結するウェブ４３からなるものであり、２本の主材の両端部は、この梁材の上側フランジ４１と下側フランジ４２の間に嵌め込まれる。そして、主材の床材部３１の上面の端部と梁材の上側フランジ４１の間、及び、主材のリップ３３の下面の端部と梁材の下側フランジ４２の間が、それぞれ、溶接Ｗ１及びＷ２によって接合される。なお、溶接Ｗ１及びＷ２は、線溶接でもよいし、間隔を開けた点溶接でもよい。次いで、最外側に位置する布材部３２ａの両端部の内側には、梁材の両端部との隙間に掴み金具５０が挿入され、最外側に位置する布材部３２ａの端部に、リベット３５で掴み金具５０が固定される。
【００６９】
その後、掴み金具５０の内側面と梁材のウェブ４３の端部とが、溶接Ｗ３によって接合され、掴み金具と梁材が一体化される。
【００７０】
なお、掴み金具５０は湾曲部を有しており、足場を構成する建枠の横桟又は腕木材の上面にその湾曲部の内側を引っかけることで、床付き布枠を隣接する建枠の横桟又は腕木材の間に取り付けることができる。ここでは、掴み金具５０は外れ止め５２を有しており、外れ止め５２を建枠の横桟又は腕木材の下側に突出させることによって掴み金具５０が誤って建枠の横桟又は腕木材から外れないようにすることができる。
【００７１】
ちなみに、この床付き布枠を、枠組足場に組み込んで１００ｋｇの荷重の繰り返し試験を行ったところ、２０万回以上繰り返してもクラックの発生はなかった。また、同試験体の破壊荷重が３３ＫＮの床付き布枠について、１００ｋｇの荷重で２０万回繰り返し試験を行った後、端部剪断試験を行ったところ、その破壊荷重は３３ＫＮのままであり、破壊荷重の減少はみられなかった。
【００７２】
このような構成を採用した結果、床付き布枠はその剛性が大きくなって、局部的な変形を起こしにくくなり、クラックの発生を抑制できるようになった。
【００７３】
ここで、図１０(a)に示される形状を有する断面コの字形の梁材を用いる代わりに、図１１(a)、図１２(a)、図１３(a)又は図１４(a)に示される、内側にリブを有する梁材を用いることができる。この場合、過度の繰り返し荷重がかかっても、断面コの字形の梁材の小口が開くおそれは小さくなる。
【実施例２】
【００７４】
図２は、本発明に係る床付き布枠の他の例の端部の拡大図であり、(a)は正面図、(b)は上面図、そして、(c)はＡ−Ａ面における断面図（側面図）を、それぞれ示す。
【００７５】
この床付き布枠の主材、梁材及び掴み金具は、実施例１に示すものと同じである。また、梁材が主材の端部に嵌合されて溶接Ｗ１及びＷ２によって接合され、そして、掴み金具５０の内側面と梁材のウェブ４３の端部とが、溶接Ｗ３によって接合され、掴み金具と梁材が一体化される点も、実施例１と同じである。なお、溶接Ｗ１及びＷ２は、実施例１と同様に、線溶接でもよいし、間隔を開けた点溶接でもよい。
【００７６】
ただし、図２では、さらに、掴み金具５０の外側面と布材３２ａの端部の側面とが、溶接Ｗ４によって接合されている。
【００７７】
このような構成を採用した結果、床付き布枠はその剛性が大きくなって、局部的な変形を起こしにくくなり、クラックの発生を抑制できるようになった。
【００７８】
ここでも、図１０(a)に示される形状を有する断面コの字形の梁材を用いる代わりに、図１１(a)、図１２(a)、図１３(a)又は図１４(a)に示される、内側にリブを有する梁材を用いることができる。この場合、過度の繰り返し荷重がかかっても、断面コの字形の梁材の小口が開くおそれは小さくなる。
【実施例３】
【００７９】
図３は、本発明に係る床付き布枠の他の例の端部の拡大図であり、(a)は正面図、(b)は上面図、そして、(c)はＡ−Ａ面における断面図（側面図）を、それぞれ示す。
【００８０】
この床付き布枠の主材及び掴み金具は、実施例１に示すものと同じである。ただし、梁材は、図１０(b)に示すとおりのものであり、その両端部が少し延長されるとともに、その両端部においてウェブの一部と下側フランジの一部が切欠かれた形状を有しており、その切欠き部分に掴み金具が位置している。
【００８１】
そして、梁材が主材の端部に嵌合されて溶接Ｗ１及びＷ２によって接合され、そして、掴み金具５０の内側面と梁材のウェブ４３の端部とが、溶接Ｗ３によって接合され、掴み金具と梁材が一体化される点は、実施例１と同じである。なお、溶接Ｗ１及びＷ２は、実施例１と同様に、線溶接でもよいし、間隔を開けた点溶接でもよい。
【００８２】
ただし、図３では、さらに、布材部３２ａの端部と梁材の上側フランジ４１とが、溶接Ｗ５によって接合されている。
【００８３】
このような構成を採用した結果、床付き布枠はその剛性が大きくなって、局部的な変形を起こしにくくなり、クラックの発生を抑制できるようになった。
【００８４】
ここで、図１０(b)に示される形状を有する断面コの字形の梁材を用いる代わりに、図１１(b)、図１２(b)、図１３(b)又は図１４(b)に示される、内側にリブを有する梁材を用いることができる。この場合、過度の繰り返し荷重がかかっても、断面コの字形の梁材の小口が開くおそれは小さくなる。
【実施例４】
【００８５】
図４は、本発明に係る床付き布枠の他の例の端部の拡大図であり、(a)は正面図、(b)は上面図、そして、(c)はＡ−Ａ面における断面図（側面図）を、それぞれ示す。
【００８６】
この床付き布枠の主材及び掴み金具は、実施例１に示すものと同じである。ただし、梁材は、図１０(c)に示すとおりのものであり、その両端部が少し延長されるとともに、その両端部においてウェブの一部が切欠かれた形状を有しており、その切欠き部分に掴み金具が位置している。
【００８７】
そして、梁材が主材の端部に嵌合されて溶接Ｗ１及びＷ２によって接合され、そして、掴み金具５０の内側面と梁材のウェブ４３の端部とが溶接Ｗ３によって接合され、掴み金具と梁材が一体化される点は、実施例１と同じである。なお、溶接Ｗ１及びＷ２は、実施例１と同様に、線溶接でもよいし、間隔を開けた点溶接でもよい。  ただし、図４では、さらに布材部３２ａの端部と梁材の上側フランジ４１とが溶接Ｗ５によって接合されている。
【００８８】
このような構成を採用した結果、床付き布枠はその剛性が大きくなって、局部的な変形を起こしにくくなり、クラックの発生を抑制できるようになった。
【００８９】
ここで、図１０(c)に示される形状を有する断面コの字形の梁材を用いる代わりに、図１１(c)、図１２(c)、図１３(c)又は図１４(c)に示される、内側にリブを有する梁材を用いることができる。この場合、過度の繰り返し荷重がかかっても、断面コの字形の梁材の小口が開くおそれは小さくなる。
【実施例５】
【００９０】
図５は、本発明に係る床付き布枠の他の例の端部の拡大図であり、(a)は正面図、(b)は上面図、そして、(c)はＡ−Ａ面における断面図（側面図）を、それぞれ示す。
【００９１】
この床付き布枠の主材、掴み金具及び梁材は、実施例４に示すものと同じである。そして、梁材が主材の端部に嵌合されて溶接Ｗ１及びＷ２によって接合され、そして、掴み金具５０の内側面と梁材のウェブ４３の端部とが、溶接Ｗ３によって接合され、掴み金具と梁材が一体化されるとともに、布材部３２ａの端部と梁材の上側フランジ４１とが溶接Ｗ５によって接合されている点も、実施例４と同じである。なお、溶接Ｗ１及びＷ２は、実施例４と同様に、線溶接でもよいし、間隔を開けた点溶接でもよい。
【００９２】
ただし、図５では、さらに、布材部３２ａの端部と梁材の下側フランジ４２が溶接Ｗ６によって、そして、掴み金具５０の外側面と布材部３２ａの端部の側面が溶接Ｗ４によって、それぞれ接合されている。
【００９３】
このような構成を採用した結果、床付き布枠はその剛性が大きくなって、局部的な変形を起こしにくくなり、クラックの発生を抑制できるようになった。
【００９４】
ここでも、図１０(c)に示される形状を有する断面コの字形の梁材を用いる代わりに、図１１(c)、図１２(c)、図１３(c)又は図１４(c)に示される、内側にリブを有する梁材を用いることができる。この場合、過度の繰り返し荷重がかかっても、断面コの字形の梁材の小口が開くおそれは小さくなる。
【実施例６】
【００９５】
図６は、本発明に係る床付き布枠の他の例の端部の拡大図であり、(a)は正面図、(b)は上面図、そして、(c)はＡ−Ａ面における断面図（側面図）を、それぞれ示す。
【００９６】
この床付き布枠の主材と掴み金具５０は、実施例１に示すものと同じである。ただし、梁材４０は、図１０(d)に示すとおりのものであり、そのウェブ４３がその両端に突起４４を有する。掴み金具５０は開口部５３を有しており、梁材のウェブ４３の端部に形成された突起４４は掴み金具の開口部５３に挿入され、そして、その突起４４は掴み金具５０の外側面に突出している。
【００９７】
そして、梁材が主材の端部に嵌合されて溶接Ｗ１及びＷ２によって接合される点は、実施例１と同じである。なお、溶接Ｗ１及びＷ２は、実施例１と同様に、線溶接でもよいし、間隔を開けた点溶接でもよい。
【００９８】
ただし、図６では、掴み金具５０と梁材４０の間を実施例１のように溶接Ｗ３によって接合するのではなく、梁材のウェブ４３の端部の突起４４と掴み金具５０の外側面とが溶接Ｗ７によって接合されている点が異なる。
【００９９】
このような構成を採用した結果、床付き布枠はその剛性が大きくなって、局部的な変形を起こしにくくなるとともに、掴み金具と梁材と主材は、さらに強固に一体化できているので、クラックの発生をさらに抑制できる。
【０１００】
ここで、図１０(d)に示される形状を有する断面コの字形の梁材を用いる代わりに、図１１(d)、図１２(d)、図１３(d)又は図１４(d)に示される、内側にリブを有する梁材を用いることができる。この場合、過度の繰り返し荷重がかかっても、断面コの字形の梁材の小口が開くおそれは小さくなる。
【実施例７】
【０１０１】
図７は、本発明に係る床付き布枠の他の例の端部の拡大図であり、(a)は正面図、(b)は上面図、そして、(c)はＡ−Ａ面における断面図（側面図）を、それぞれ示す。
【０１０２】
この床付き布枠の主材と掴み金具５０は、実施例６に示すものと同じである。ただし、梁材４０は、図１０(e)に示すとおりのものであり、上側フランジ４１の端部が少し延長されるとともに、そのウェブ４３は端部に突起４４を有する。掴み金具５０は開口部５３を有しており、梁材のウェブ４３に形成された突起４４は掴み金具の開口部５３に挿入され、そして、その突起４４は掴み金具５０の外側面に突出している点は、実施例６と同じである。
【０１０３】
そして、梁材が主材の端部に嵌合されて溶接Ｗ１及びＷ２によって接合され、そして、梁材のウェブ４３の端部の突起４４と掴み金具５０の外側面とが溶接Ｗ７によって接合されている点も実施例６と同じである。なお、溶接Ｗ１及びＷ２は、実施例１と同様に、線溶接でもよいし、間隔を開けた点溶接でもよい。
【０１０４】
ただし、図７では、さらに、梁材のウェブ４３の端部の突起４４と布材部３２ａの端部とが溶接Ｗ８によって接合されている。
【０１０５】
このような構成を採用した結果、床付き布枠はその剛性が大きくなって、局部的な変形を起こしにくくなるとともに、掴み金具と梁材と主材は、さらに強固に一体化できているので、クラックの発生をさらに抑制できる。
【０１０６】
ここで、図１０(e)に示される形状を有する断面コの字形の梁材を用いる代わりに、図１１(e)、図１２(e)、図１３(e)又は図１４(e)に示される、内側にリブを有する梁材を用いることができる。この場合、過度の繰り返し荷重がかかっても、断面コの字形の梁材の小口が開くおそれは小さくなる。
【実施例８】
【０１０７】
図８は、本発明に係る床付き布枠の他の例の端部の拡大図であり、(a)は正面図、(b)は上面図、そして、(c)はＡ−Ａ面における断面図（側面図）を、それぞれ示す。
【０１０８】
この床付き布枠の主材と掴み金具５０は、実施例７に示すものと同じである。ただし、梁材４０は、図１０(f)に示すとおりのものであり、上側フランジ４１の端部だけでなく、下側フランジ４２も少し延長されるとともに、そのウェブ４３は端部に突起４４を有する。掴み金具５０は開口部５３を有しており、梁材のウェブ４３に形成された突起４４は掴み金具の開口部５３に挿入され、そして、その突起４４は掴み金具５０の外側面に突出している点は、実施例７と同じである。
【０１０９】
そして、梁材が主材の端部に嵌合されて溶接Ｗ１及びＷ２によって接合され、そして、梁材のウェブ４３の端部の突起４４と掴み金具５０の外側面とが溶接Ｗ７によって接合されている点も実施例７と同じである。なお、溶接Ｗ１及びＷ２は、実施例１と同様に、線溶接でもよいし、間隔を開けた点溶接でもよい。
【０１１０】
ただし、図８では、梁材のウェブ４３の端部の突起４４と布材部３２ａの端部の間を溶接Ｗ８によって溶接するのではなく、布材部の端部と梁材の上側フランジの間及び布材部の端部と梁材の下側フランジの間が、それぞれ、溶接Ｗ５及びＷ６によって接合されている点が異なる。
【０１１１】
このような構成を採用した結果、床付き布枠はその剛性が大きくなって、局部的な変形を起こしにくくなるとともに、掴み金具と梁材と主材は、さらに強固に一体化できているので、クラックの発生をさらに抑制できる。
【０１１２】
ここで、図１０(f)に示される形状を有する断面コの字形の梁材を用いる代わりに、図１１(f)、図１２(f)、図１３(f)又は図１４(f)に示される、内側にリブを有する梁材を用いることができる。この場合、過度の繰り返し荷重がかかっても、断面コの字形の梁材の小口が開くおそれは小さくなる。
【実施例９】
【０１１３】
図９は、本発明に係る床付き布枠の他の例の端部の拡大図であり、(a)は正面図、(b)は上面図、そして、(c)はＡ−Ａ面における断面図（側面図）を、それぞれ示す。
【０１１４】
この床付き布枠の梁材及び掴み金具は、実施例１に示すものと同じである。しかし、床付き布枠の主材は、上面に長尺の床材部３１と、その両側面に床材部と一体化されて形成される長尺の布材部３２ａと、それぞれの下面の内側に布材部と一体化されて形成される長尺のリップ３３からなり、そして、主材の剛性を大きくするために、床材部３１の上面に長尺方向の溝３６が５本成型され、そして、リップ３３の縁部は内側に屈曲した形に成型され、屈曲部３７を形成している。
【０１１５】
この床付き布枠の主材は、１本だけで構成されている点を除いて、実施例１と同じである。すなわち、梁材が主材の端部に嵌合されて溶接Ｗ１及びＷ２によって接合され、そして、掴み金具５０の内側面と梁材のウェブ４３の端部とが、溶接Ｗ３によって接合され、掴み金具と梁材が一体化されている。溶接Ｗ１及びＷ２は、実施例１と同様に、線溶接でもよいし、間隔を開けた点溶接でもよい。
【０１１６】
なお、ここでは、梁材として、実施例１と同じく、図１０(a)に示すとおりのものを用いたが、図１０(a)に示す梁材に代えて、図１０(b)〜(e)に示すとおりの梁材を用いてもよい。あるいは、図１１、図１２、図１３又は図１４に示されるとおりの内側にリブを有する梁材を用いると、過度の繰り返し荷重がかかっても、断面コの字形の梁材の小口が開くおそれは小さくなる。
【０１１７】
また、溶接個所として、床材部の端部と梁材の上側フランジの間の溶接Ｗ１、リップの端部と梁材の下側フランジ４１の間の溶接Ｗ２、及び、掴み金具の内側面と梁材のウェブの端部の間の溶接Ｗ３の例を示したが、実施例２〜７と同様に、溶接掴み金具の外側面と布材部の端部の側面との間の溶接Ｗ４、布材部の端部と梁材の上側フランジの間の溶接Ｗ５、布材部の端部と梁材の下側フランジの間の溶接Ｗ６、掴み金具の側面と梁材のウェブの端部の突起の間の溶接Ｗ７、梁材のウェブの端部の突起と布材部の端部の間の溶接Ｗ８等を追加あるいは変更してもよい。
【０１１８】
このような構成を採用した結果、床付き布枠はその剛性が大きくなって、局部的な変形を起こしにくくなり、クラックの発生を抑制できるようになった。
【産業上の利用可能性】
【０１１９】
以上のとおり、本発明によれば、多数回の繰り返し荷重、特に端部での繰り返し荷重に耐えることができる床付き布枠を提供することができる。また、このような床付き布枠を組み込むことによって、クラックの発生を抑制できるので、寿命の長い枠組足場を提供することができる。
【図面の簡単な説明】
【０１２０】
【図１】本発明に係る床付き布枠の一例の端部の拡大図であり、(a)は正面図、(b)は上面図、そして、(c)はＡ−Ａ面における断面図（側面図）を、それぞれ示す。
【図２】本発明に係る床付き布枠の他の例の端部の拡大図であり、(a)は正面図、(b)は上面図、そして、(c)はＡ−Ａ面における断面図（側面図）を、それぞれ示す。
【図３】本発明に係る床付き布枠の他の例の端部の拡大図であり、(a)は正面図、(b)は上面図、そして、(c)はＡ−Ａ面における断面図（側面図）を、それぞれ示す。
【図４】本発明に係る床付き布枠の他の例の端部の拡大図であり、(a)は正面図、(b)は上面図、そして、(c)はＡ−Ａ面における断面図（側面図）を、それぞれ示す。
【図５】本発明に係る床付き布枠の他の例の端部の拡大図であり、(a)は正面図、(b)は上面図、そして、(c)はＡ−Ａ面における断面図（側面図）を、それぞれ示す。
【図６】本発明に係る床付き布枠の他の例の端部の拡大図であり、(a)は正面図、(b)は上面図、そして、(c)はＡ−Ａ面における断面図（側面図）を、それぞれ示す。
【図７】本発明に係る床付き布枠の他の例の端部の拡大図であり、(a)は正面図、(b)は上面図、そして、(c)はＡ−Ａ面における断面図（側面図）を、それぞれ示す。
【図８】本発明に係る床付き布枠の他の例の端部の拡大図であり、(a)は正面図、(b)は上面図、そして、(c)はＡ−Ａ面における断面図（側面図）を、それぞれ示す。
【図９】本発明に係る床付き布枠の他の例の端部の拡大図であり、(a)は正面図、(b)は上面図、そして、(c)はＡ−Ａ面における断面図（側面図）を、それぞれ示す。
【図１０】(a)〜(c)は梁材の端部の形状の例であり、そして、(d)及び(e)は梁材のウェブの端部において突起を形成してなる例である。背面図（左側）と側面図（右側）によって示す。
【図１１】垂直方向のリブを内側に形成してなる梁材の一例である。背面図（左側）と側面図（右側）によって示す。
【図１２】垂直方向のリブを内側に形成してなる梁材の他の例である。背面図（左側）と側面図（右側）によって示す。
【図１３】垂直方向のリブを内側に形成してなる梁材の他の例である。背面図（左側）と側面図（右側）によって示す。
【図１４】垂直方向のリブを内側に形成してなる梁材の他の例である。背面図（左側）と側面図（右側）によって示す。
【図１５】建枠式の枠組足場を形成する一例である。(a)が正面図、(b)が右側面図である。
【図１６】緊結式足場の構造の一例を示す。(a)は緊結式足場の正面図、(b)は(a)において円で示されたコマの周辺の拡大図、そして、(c)は緊結式足場の右側面図である。
【図１７】従来技術に係る床付き布枠の一例であり、(a)は組立図、(b)は完成図を、それぞれ示す。
【図１８】従来技術に係る床付き布枠の端部の拡大図であり、(a)は正面図、(b)は上面図、そして、(c)はＡ−Ａ面における断面図（側面図）を、それぞれ示す。
【符号の説明】
【０１２１】
１    Ｈ枠
２    縦柱
３    横桟
６ａ  建物側の縦柱の下部に設けられたロック金具
６ｂ  建物とは反対側の縦柱の下部に設けられたロック金具
７ａ  建物側の縦柱の上部に設けられたロック金具
７ｂ  建物とは反対側の縦柱の上部に設けられたロック金具
１０  手摺枠
１１  床付き布枠
１３  筋違
１４  支柱
１５  作業用手摺
１６  支柱部材
１９  斜材
２０  コマ
２１  腕木材
２２  建物
３０  主材
３１  床材部
３２ａ、３２ｂ  布材部
３３  リップ
３４  布材部のリベット穴
３５  リベット
３６  床材部の溝
３７  リップの屈曲部
４０  梁材
４１  梁材の上側フランジ
４２  梁材の下側フランジ
４３  梁材のウェブ
４４  梁材のウェブの端部の突起
４５  梁材の補強板
４６  梁材のウェブの変形個所
４７  梁材のウェブの屈曲個所
５０  掴み金具
５１  掴み金具のリベット穴
５２  掴み金具の外れ止め
５３  掴み金具の開口部
Ｗ１  床材部の端部と梁材の上側フランジの間の溶接
Ｗ２  リップの端部と梁材の下側フランジの間の溶接
Ｗ３  掴み金具の内側面と梁材のウェブの端部の間の溶接
Ｗ４  掴み金具の外側面と布材部の端部の側面との間の溶接
Ｗ５  布材部の端部と梁材の上側フランジの間の溶接
Ｗ６  布材部の端部と梁材の下側フランジの間の溶接
Ｗ７  掴み金具の外側面と梁材のウェブの端部の突起の間の溶接
Ｗ８  梁材のウェブの端部の突起と布材部の端部の間の溶接
【図１】
2007132016.tif 000003
【図２】
2007132016.tif 000004
【図３】
2007132016.tif 000005
【図４】
2007132016.tif 000006
【図５】
2007132016.tif 000007
【図６】
2007132016.tif 000008
【図７】
2007132016.tif 000009
【図８】
2007132016.tif 000010
【図９】
2007132016.tif 000011
【図１０】
2007132016.tif 000012
【図１１】
2007132016.tif 000013
【図１２】
2007132016.tif 000014
【図１３】
2007132016.tif 000015
【図１４】
2007132016.tif 000016
【図１５】
2007132016.tif 000017
【図１６】
2007132016.tif 000018
【図１７】
2007132016.tif 000019
【図１８】
2007132016.tif 000020